【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
-基部ユニット（13）、特に、互いに不可逆的に接続されている歯科用スプリントプレートを有する基部ユニット（13）と、
-少なくとも1つの電力供給ユニット（26）と、
-少なくとも1つの信号発生器（30）と、
-該電力供給ユニット（26）および該信号発生器（30）に動作可能に接続されている、少なくとも1つの圧力センサ（16）と
を備え、該圧力センサ（16）がそれに作用する咬合力と突出力の両方を検出するように、該圧力センサ（16）が構成されている、歯科用スプリント。
【請求項２】
前記圧力センサが、少なくとも1つの電気スイッチ接点を有する接触装置（16）を備える
ことを特徴とする、請求項1記載の歯科用スプリント。
【請求項３】
前記接触装置が、少なくとも1つの接触スリーブ（16）を備え、該接触スリーブ（16）が、円周方向に交互に存在する導電材料（20）および非導電材料（22）、特にプラスチック材料の区分（18）の少なくとも4つを横断面に備える
ことを特徴とする、請求項2記載の歯科用スプリント。
【請求項４】
前記接触スリーブ（16）の前記区分（18）が、長手方向に連続的に本質的に延伸する
ことを特徴とする、請求項3記載の歯科用スプリント。
【請求項５】
前記接触スリーブ（16）が、内側において中空であり、かつ/または、該接触スリーブ（16）が、少なくとも1つの弾性および/もしくは可撓性材料を備える
ことを特徴とする、請求項3または請求項4記載の歯科用スプリント。
【請求項６】
前記接触スリーブ（16）が、長手方向にいくつかの区域を備え、前記歯科用スプリントが取り付けられた状態で特に前部門歯の後ろおよび/または下に配置されている少なくとも1つの第1の区域が、該歯科用スプリントが取り付けられた状態で特に犬歯、小臼歯、および/または大臼歯に配置されている少なくとも1つの第2の区域に対してねじれている
ことを特徴とする、請求項3〜5のいずれか一項記載の歯科用スプリント。
【請求項７】
前記第1の区域中の前記導電材料（20）の少なくとも1つの部分が、前額面のどちらかの側に配置されており、かつ/または、前記第2の区域中の前記導電材料（20）の少なくとも1つの部分が、横断面のどちらかの側に配置されている
ことを特徴とする、請求項6記載の歯科用スプリント。
【請求項８】
前記圧力センサ（16）が、本質的に互いに垂直に配向されている少なくとも2つのセンサを備える
ことを特徴とする、前記請求項のいずれか一項記載の歯科用スプリント。
【請求項９】
前記信号発生器（30）が、信号送信機、特に振動モジュール、音響信号送信機、電気信号送信機、および/または熱信号送信機を備える
ことを特徴とする、前記請求項のいずれか一項記載の歯科用スプリント。
【請求項１０】
少なくとも1つの記憶ユニット、送信ユニット、および/または評価ユニットを備える
ことを特徴とする、前記請求項のいずれか一項記載の歯科用スプリント。
【請求項１１】
前記信号発生器（30）および前記電力供給ユニット（26）、ならびに、さらに任意で前記記憶ユニット、前記送信ユニット、および/または前記評価ユニットが、モジュールの一体式構成要素であり、該モジュールが、特に前記基部ユニット（13）の一部分を形成するか、あるいは該基部ユニット（13）自体である
ことを特徴とする、前記請求項のいずれか一項記載の歯科用スプリント。
【請求項１２】
中央ユニット（14）が、前記信号発生器（30）および前記電力供給ユニット（26）、ならびに、さらに任意で前記記憶ユニット、前記送信ユニット、および/または前記評価ユニットを備え、分離フィルムによって少なくとも部分的に取り囲まれている
ことを特徴とする、前記請求項のいずれか一項記載の歯科用スプリント。
【請求項１３】
少なくとも1つの熱可塑性ポリマーおよび/または少なくとも1つのエラストマーから全体的にまたは部分的に形成されている
ことを特徴とする、前記請求項のいずれか一項記載の歯科用スプリント。
【請求項１４】
前記電力供給ユニット（26）が、再充電可能なエネルギー貯蔵部を備える
ことを特徴とする、前記請求項のいずれか一項記載の歯科用スプリント。
【請求項１５】
前記歯科用スプリントのための収容容器として設計され、特に該歯科用スプリントの再充電可能なエネルギー貯蔵部を充電し得るように該歯科用スプリントに誘導結合されている、前記請求項のいずれか一項記載の歯科用スプリントのための充電ステーション（76）。
【請求項１６】
-少なくとも1つの基部ユニット（13）、特に、互いに不可逆的に接続されている歯科用スプリントプレートを有し、特に一体型ブロックから圧延されるかまたはレーザにより切り抜かれ、織物からダーニングされ、液体プラスチックから鋳造され、重合、射出成形、深絞り、もしくはレーザ焼結工程で、ラピッドプロトタイピングもしくは3D印刷工程で、CAD/CAM工程で、またはワックス工程で製造され、かつ/あるいは、熱可塑性および/またはエラストマー材料、特にTPE材料からなる、少なくとも1つの基部ユニット（13）と、
-少なくとも1つの電力供給ユニット（26）、特に、再充電可能なエネルギー貯蔵部を備える少なくとも1つの電力供給ユニット（26）と、
-少なくとも1つの信号発生器（30）と、
-該電力供給ユニット（26）および該信号発生器（30）に動作可能に接続されている、少なくとも1つの圧力センサ（16）と
を供給する段階;ならびに
該圧力センサ（16）がそれに作用する咬合力と突出力の両方を検出することができるように、該圧力センサ（16）を配置する段階
を含む、前記請求項のいずれか一項記載の歯科用スプリントを作製するための方法。
【請求項１７】
前記圧力センサ（16）の構造を得るために、前記歯科用スプリントの製造中にスペーサが該圧力センサ（16）に一時的に導入される
ことを特徴とする、請求項16記載の方法。
【請求項１８】
歯科用スプリント、特に、請求項1〜14のいずれか一項記載の歯科用スプリントを取り付ける段階;
圧力センサ（16）の支援、特に、接触スリーブとして形成された接触装置の支援により、作用する咬合力および突出力の強度を検出する段階であって、該圧力センサ（16）に作用する咬合力および突出力の強度に依存して、該接触スリーブの電気抵抗（R）が変化する、段階;
信号発生器（30）に強度情報を中継する段階;
所定の限界値（50）を該強度が超える場合に、該信号発生器（30）によって信号を生成する段階;ならびに
所定の限界値（50）未満に該強度が低下する場合に、該信号を消失させる段階
を含み、
該圧力センサ（16）および該信号発生器（30）が、充電可能なエネルギー貯蔵部を特に備える電力供給ユニット（26）から通電される、
歯科用スプリントを使用するための方法。
【手続補正２】
【補正対象書類名】明細書
【補正対象項目名】００３２
【補正方法】変更
【補正の内容】
【００３２】
接触スリーブは、例えば回路基板の1つの導線上に取り付けられ、それによってスイッチとして機能する。接触スリーブが対応する方向に圧縮される場合、特に電流が、電池と振動モータの間に流れ、歯科用スプリント全体の振動をトリガーする。接触スリーブまたはセンサスリーブは、約50〜180Ω/mm、特に約80Ω/mmの長手方向の抵抗を有することができる。絶縁抵抗は、例えば、20MΩよりも大きい。センサスリーブは、例えば、320mmまでの長さを有することができる。信号発生器のためのトリガー閾値は、典型的には約50kΩである。
【手続補正３】
【補正対象書類名】明細書
【補正対象項目名】００５９
【補正方法】変更
【補正の内容】
【００５９】
さらに、本発明は、歯科用スプリント、特に本発明による歯科用スプリントを使用することに、圧力センサの支援、特に、接触スリーブとして形成された接触装置の支援により、作用する咬合力および突出力の強度を検出することであって、圧力センサに作用する咬合力および突出力の強度に依存して、接触スリーブの電気抵抗が変化することに、信号発生器に強度情報を直接または間接に中継することに、所定の限界値を強度が超える場合に、信号発生器によって信号を生成することに、かつ、所定の限界値未満に強度が低下する場合に、信号を消失させることに関し、圧力センサおよび信号発生器が、充電可能なエネルギー貯蔵部を特に備える電力供給ユニットから通電される。
[本発明1001]
-基部ユニット（13）、特に、互いに不可逆的に接続されている歯科用スプリントプレートを有する基部ユニット（13）と、
-少なくとも1つの電力供給ユニット（26）と、
-少なくとも1つの信号発生器（30）と、
-該電力供給ユニット（26）および該信号発生器（30）に動作可能に接続されている、少なくとも1つの圧力センサ（16）と
を備え、該圧力センサ（16）がそれに作用する咬合力と突出力の両方を検出するように、該圧力センサ（16）が構成されている、歯科用スプリント。
[本発明1002]
前記圧力センサが、少なくとも1つの電気スイッチ接点を有する接触装置（16）を備える
ことを特徴とする、本発明1001の歯科用スプリント。
[本発明1003]
前記接触装置が、少なくとも1つの接触スリーブ（16）を備え、該接触スリーブ（16）が、円周方向に交互に存在する導電材料（20）および非導電材料（22）、特にプラスチック材料の区分（18）の少なくとも4つを横断面に備える
ことを特徴とする、本発明1002の歯科用スプリント。
[本発明1004]
前記接触スリーブ（16）の前記区分（18）が、長手方向に連続的に本質的に延伸する
ことを特徴とする、本発明1003の歯科用スプリント。
[本発明1005]
前記接触スリーブ（16）が、内側において中空であり、かつ/または、該接触スリーブ（16）が、少なくとも1つの弾性および/もしくは可撓性材料を備える
ことを特徴とする、本発明1003または本発明1004の歯科用スプリント。
[本発明1006]
前記接触スリーブ（16）が、長手方向にいくつかの区域を備え、前記歯科用スプリントが取り付けられた状態で特に前部門歯の後ろおよび/または下に配置されている少なくとも1つの第1の区域が、該歯科用スプリントが取り付けられた状態で特に犬歯、小臼歯、および/または大臼歯に配置されている少なくとも1つの第2の区域に対してねじれている
ことを特徴とする、本発明1003〜1005のいずれかの歯科用スプリント。
[本発明1007]
前記第1の区域中の前記導電材料（20）の少なくとも1つの部分が、前額面のどちらかの側に配置されており、かつ/または、前記第2の区域中の前記導電材料（20）の少なくとも1つの部分が、横断面のどちらかの側に配置されている
ことを特徴とする、本発明1006の歯科用スプリント。
[本発明1008]
前記圧力センサ（16）が、本質的に互いに垂直に配向されている少なくとも2つのセンサを備える
ことを特徴とする、前記本発明のいずれかの歯科用スプリント。
[本発明1009]
前記信号発生器（30）が、信号送信機、特に振動モジュール、音響信号送信機、電気信号送信機、および/または熱信号送信機を備える
ことを特徴とする、前記本発明のいずれかの歯科用スプリント。
[本発明1010]
少なくとも1つの記憶ユニット、送信ユニット、および/または評価ユニットを備える
ことを特徴とする、前記本発明のいずれかの歯科用スプリント。
[本発明1011]
前記信号発生器（30）および前記電力供給ユニット（26）、ならびに、さらに任意で前記記憶ユニット、前記送信ユニット、および/または前記評価ユニットが、モジュールの一体式構成要素であり、該モジュールが、特に前記基部ユニット（13）の一部分を形成するか、あるいは該基部ユニット（13）自体である
ことを特徴とする、前記本発明のいずれかの歯科用スプリント。
[本発明1012]
中央ユニット（14）が、前記信号発生器（30）および前記電力供給ユニット（26）、ならびに、さらに任意で前記記憶ユニット、前記送信ユニット、および/または前記評価ユニットを備え、分離フィルムによって少なくとも部分的に取り囲まれている
ことを特徴とする、前記本発明のいずれかの歯科用スプリント。
[本発明1013]
少なくとも1つの熱可塑性ポリマーおよび/または少なくとも1つのエラストマーから全体的にまたは部分的に形成されている
ことを特徴とする、前記本発明のいずれかの歯科用スプリント。
[本発明1014]
前記電力供給ユニット（26）が、再充電可能なエネルギー貯蔵部を備える
ことを特徴とする、前記本発明のいずれかの歯科用スプリント。
[本発明1015]
前記歯科用スプリントのための収容容器として設計され、特に該歯科用スプリントの再充電可能なエネルギー貯蔵部を充電し得るように該歯科用スプリントに誘導結合されている、前記本発明のいずれかの歯科用スプリントのための充電ステーション（76）。
[本発明1016]
-少なくとも1つの基部ユニット（13）、特に、互いに不可逆的に接続されている歯科用スプリントプレートを有し、特に一体型ブロックから圧延されるかまたはレーザにより切り抜かれ、織物からダーニングされ、液体プラスチックから鋳造され、重合、射出成形、深絞り、もしくはレーザ焼結工程で、ラピッドプロトタイピングもしくは3D印刷工程で、CAD/CAM工程で、またはワックス工程で製造され、かつ/あるいは、熱可塑性および/またはエラストマー材料、特にTPE材料からなる、少なくとも1つの基部ユニット（13）と、
-少なくとも1つの電力供給ユニット（26）、特に、再充電可能なエネルギー貯蔵部を備える少なくとも1つの電力供給ユニット（26）と、
-少なくとも1つの信号発生器（30）と、
-該電力供給ユニット（26）および該信号発生器（30）に動作可能に接続されている、少なくとも1つの圧力センサ（16）と
を供給する段階;ならびに
該圧力センサ（16）がそれに作用する咬合力と突出力の両方を検出することができるように、該圧力センサ（16）を配置する段階
を含む、前記本発明のいずれかの歯科用スプリントを作製するための方法。
[本発明1017]
前記圧力センサ（16）の構造を得るために、前記歯科用スプリントの製造中にスペーサが該圧力センサ（16）に一時的に導入される
ことを特徴とする、本発明1016の方法。
[本発明1018]
歯科用スプリント、特に、本発明1001〜1014のいずれかの歯科用スプリントを取り付ける段階;
圧力センサ（16）の支援、特に、接触スリーブとして形成された接触装置の支援により、作用する咬合力および突出力の強度を検出する段階であって、該圧力センサ（16）に作用する咬合力および突出力の強度に依存して、該接触スリーブの電気抵抗（R）が変化する、段階;
信号発生器（30）に強度情報を中継する段階;
所定の限界値（50）を該強度が超える場合に、該信号発生器（30）によって信号を生成する段階;ならびに
所定の限界値（50）未満に該強度が低下する場合に、該信号を消失させる段階
を含み、
該圧力センサ（16）および該信号発生器（30）が、充電可能なエネルギー貯蔵部を特に備える電力供給ユニット（26）から通電される、
歯科用スプリントを使用するための方法。